(57)【特許請求の範囲】
【請求項１】
発光帯域の移動によって人の視線の誘導に用いられる照明装置であって、
少なくとも２本の長手方向に延在する発光要素を備えるとともに、
前記発光要素が、同一もしくは異なる構成を有しかつ、それぞれ、規則的なパターンで全長にわたって配置された、発光強度を異にする少なくとも２つの発光帯域を備え、その際、前記発光帯域が、所定のレベルの発光強度を示す主発光帯域と、それよりも弱い発光強度を示す準発光帯域の繰り返しからなり、
各発光要素において、１の発光帯域からその隣りの発光帯域へ、そしてさらにその隣りの発光帯域へ、というように一方向に連続して発光が生じるように構成されており、かつ
相隣りあう発光要素が、予め定められた距離のズレを伴って配置されており、時間差を伴って順次規則的に発光可能である、
ことを特徴とする視線誘導照明装置。
【請求項２】
前記発光要素が、その周囲にさらに、前記準発光帯域に対応して発光強度調整層を有していることを特徴とする請求項１に記載の視線誘導照明装置。
【請求項３】
前記発光要素が、それぞれ、その同じ側の一端に光源を有していることを特徴とする請求項１又は２に記載の視線誘導照明装置。
【請求項４】
前記発光要素の端面と前記光源との間にさらに、前記光源からの光を入射光に変換する光変換装置を有するとともに、その光変換装置が、前記光源からの光を、そのままの光、透明光、半透明光、減光、着色光又は遮光からなる群から選ばれた少なくとも２種類の入射光に変換可能な複合されたフィルタ要素からなることを特徴とする請求項３に記載の視線誘導照明装置。
【請求項５】
前記発光要素が、コアと、そのコアの周囲に配置された、前記コアの一端から入射された光を出射可能なクラッドとからなる側面出射型の光ファイバであることを特徴とする請求項１〜４のいずれか１項に記載の視線誘導照明装置。
【請求項６】
点灯時、前記発光要素のいずれか１つが少なくとも発光していることを特徴とする請求項１〜５のいずれか１項に記載の視線誘導照明装置。
【発明の詳細な説明】
【０００１】
【発明の属する技術分野】
本発明は、視線誘導照明装置に関し、さらに詳しく述べると、複数の側面発光型光ファイバを組み合わせて使用した視線誘導照明装置に関する。
【０００２】
【従来の技術】
周知の通り、人の手の届く場所での線状の基本照明や装飾照明において、蛍光灯などの放電管が広く使用されている。しかし、これらの放電管は、破損しやすく、また、発熱による火傷や漏電、感電等を生じるおそれがあるので、それらの危険のない側面発光型の光ファイバを使用することが注目されている。側面発光型の光ファイバは、切れ目のない線状の発光が可能であり、さらには光源をメンテナンスが容易な場所に配置できるため、球切れの際の電球の交換が容易であるので、最近では、道路のカーブなどの危険個所や、ビルの廊下などにおいて視線誘導体灯として、あるいはプラットホーム、横断歩道などにおける注意喚起灯として使用されるようになってきた。
【０００３】
例えば特開平６−７３７１５号公報には、図１に示すようなライトフェンス装置が開示されている。このライトフェンス装置は、光源５１と、それに接続された発光手段５２とからなる。発光手段５２は、液体の透明材料で形成されたコアと、屈曲自在のクラッドとから構成された散光管である。発光手段５２は、道路５３に植立された支柱５４に取り付けられている。発光手段５２がライン状に発光もしくは点滅するので、危険域の存在を自動車ドライバに事前に了知させることができる。しかし、このライトフェンス装置ではライン状の発光もしくは点滅のみに依存しているので、発光の変化に乏しく、危険域の存在を確実にドライバに了知させることに問題がある。
【０００４】
また、特開平８-２４６４２７号公報には、図２に示すような視線誘導灯が開示されている。この視線誘導灯は、光源６１と、外周面に沿って適宜長さの漏光部Ａと遮光部Ｂとが繰り返し形成され、光源６１から色フィルタ６５を介して入射した光が漏光部Ａから出射されて破線状に発光されるようになされたチューブ状の発光体６２とを有していることを特徴とする。発光体６２は、道路６３に植立された支柱６４に取り付けられている。発光体６２が破線状に移動するようにして発光するので、道路の線形をわかりやすく表示することができる。しかし、この視線誘導灯では、破線状の発光しか得られないため、道路の線形を切れ目なく表示させることができないという問題がある。
【０００５】
【発明が解決しようとする課題】
本発明は、上記のような従来の技術の問題点を解決することを目的とする。
【０００６】
本発明の目的は、したがって、例えば道路などにおいてライトフェンス装置、視線誘導灯などとして使用した場合に、長い距離にわたって途切れなく発光でき、かつ方向性をもった、すなわち、視線誘導型の照明装置を提供することにある。
【０００７】
【課題を解決するための手段】
本発明は、その１つの面において、発光帯域の移動によって人の視線の誘導に用いられる照明装置であって、
少なくとも２本の長手方向に延在する発光要素を備えるとともに、
前記発光要素が、同一もしくは異なる構成を有しかつ、それぞれ、規則的なパターンで全長にわたって配置された、発光強度を異にする少なくとも２つの発光帯域を備え、
各発光要素において、１の発光帯域からその隣りの発光帯域へ、そしてさらにその隣りの発光帯域へ、というように一方向に連続して発光が生じるように構成されており、かつ
相隣りあう発光要素が、予め定められた距離のズレを伴って配置されており、時間差を伴って順次規則的に発光可能である、
ことを特徴とする視線誘導照明装置にある。
【０００８】
好ましい１態様に従うと、本発明の視線誘導照明装置では、側面発光型の光ファイバを発光要素として使用する。複数本の側面発光型の光ファイバをほぼ平行に配置するとともに、それぞれの光ファイバについて、その外周を長手方向に適宜長さの半透明もしくは着色された部材で覆うことにより形成された減光部又は着色部（準発光帯域）と、減光も着色もしていない部分（主発光帯域）とが繰り返すように構成する。それぞれの光ファイバの主発光帯域は、長手方向にずらして配置する。光源からそれぞれの光ファイバに入射される光（入射光）は、準発光のため、任意の時間だけ、繰り返し遮光、減光又は色替えされる。また、それぞれの光ファイバの準発光時間は、任意の時間だけずらされる。さらに、それぞれの光ファイバの準発光状態の順序は、任意である。光ファイバの主発光帯域は、入射光が遮光、減光及び色替えされていない時、すなわち、光源からの入射光がそのまま主発光帯域から出射される時、最も明るく発光すること（本発明では、「最発光」という）ができる。それぞれの光ファイバの入射光を順次、準発光状態から主発光状態へと変更することで、あたかも最発光が、長手方向に順次移動しているように見せることができ、本発明でいう「視線誘導効果」を実現できる。なお、いずれかの光ファイバを常に発光状態とすることで、その発光状態にある光ファイバを、常時、全体にわたり視認可能とすることができる。これにより、常時、長い距離にわたって途切れのない光でなおかつ方向性をもった光の動きを提供することができる。
【０００９】
また、本発明は、本発明の視線誘導照明装置を備えることを特徴とする交通標識システムを提供する。
【００１０】
さらに、本発明は、本発明の視線誘導照明装置を備えることを特徴とする装飾システムを提供する。
【００１１】
【発明の実施の形態】
本発明は、上記したように、発光帯域の移動によって人の視線の誘導に用いられる照明装置であって、少なくとも、光源と、その光源からの光を受けてそれを内部で誘導し、発光可能な発光要素とを備えている。
【００１２】
光源は、通常、それぞれの発光要素について１個ずつ使用されるが、所望ならば、複数本の発光要素に共通して１個の光源を使用してもよい。光源は、好ましくは、発光要素がそれぞれその同じ側の一端に光源を有しているように配置される。光源は、通常、発光要素の端面に接するようにして配置される。
【００１３】
本発明の視線誘導照明装置において、使用する光源は特に限定されるものではなく、照明装置の設置場所や所望とする発光効果などに応じて好適なものを選択し、使用することができる。好適な光源の一例を示すと、以下に列挙するものに限定されるわけではないけれども、メタルハライドランプ、キセノンランプ、ハロゲンランプ、発光ダイオード、蛍光灯などを挙げることができる。
【００１４】
発光要素は、少なくとも２本、好ましくは３本もしくはそれ以上で用いられる。これらの発光要素は、通常、互いにほぼ平行となるように上下に配置して用いられるが、特殊もしくは特異な発光効果を期待するのであるならば、これに限定されるものではなく、発光要素の全部又は一部を平行パターンを含めた任意のパターンの組み合わせで配置してもよい。
【００１５】
また、発光要素は、通常、長手方向に延在する形で用いられる。発光要素に好適な形は、以下に列挙するものに限定されるわけではないけれども、管、細プレート、細溝などの形態である。発光要素の形態を変えることで、照明装置の設置場所に応じて最適の発光効果を得ることができる。
【００１６】
それぞれの発光要素は、同一の構成、形状及び寸法を有していてもよく、異なる構成、形状及び寸法を有していてもよい。照明装置で使用する発光装置の構成、形状及び寸法を任意に組み合わせることによって、照明装置の設置場所に応じた最適な発光効果などを得ることができる。
【００１７】
発光要素は、発光強度を異にする少なくとも２つの発光帯域を備え、かつそれぞれの発光帯域が規則的なパターンで発光要素の全長にわたって配置されている。すなわち、発光帯域が、例えばＡ帯域とＢ帯域の２つの帯域からなるような場合、両者は、例えば、ＡＢＡＢＡＢ…、ＡＡＢＡＡＢＡＡ…、ＢＢＢＡＢＢＢＡＢＢＢＡ…などのように発光要素の全長に沿って規則的に配置することができ、また、それぞれの発光帯域の長さは、１：１に限定されるものではなく、例えば２：１、１：３などのように、所望とする発光効果などに応じて任意に変更可能である。ここで、用語「発光強度」とは、本発明の視線誘導発光に関与するいろいろなファクタを包含する目的で使用されており、一般的に認識されている発光強度の意味（照度、光度など）のほかに、発光色、発光の透明度なども意味する。
【００１８】
また、発光要素は、方向性をもった光の動きを保証するため、それぞれ、１の発光帯域からその隣りの発光帯域へ、そしてさらにその隣りの発光帯域へ、というように一方向に連続して発光が生じるように配置されていることが必要であり、さらには、視線誘導発光を可能とするため、換言すると、時間差を伴った順次規則的な発光を可能とするため、相隣りあう発光要素が、好ましくは上から下に向けて、あるいはその反対に、下から上に向けて、予め定められた距離のズレを伴って配置されていることが必要である。
【００１９】
発光要素において、それを構成する２つ以上の発光帯域は、本発明の範囲内においていろいろな形で構成される。好ましくは、発光帯域は、所定のレベルの発光強度を示す主発光帯域と、それよりも弱い発光強度を示す準発光帯域の繰り返しから構成することができる。また、必要ならば、これらの２つの発光帯域に追加して、例えば中間的な発光強度を示す中間発光帯域を導入してもよい。
【００２０】
発光要素において、主発光帯域は、通常、用意した発光要素をそのまま裸の状態で使用する。発光要素の準発光帯域は、発光強度の抑制して主発光帯域との発光強度の違いを出すため、任意の発光強度調整加工を施すことが好ましい。適当な強度調整加工としては、以下に列挙するものに限定されるわけではないが、発光要素の周囲に準発光帯域に対応して発光強度調整層を形成すること、例えば、発光要素の周囲に出射光の発光強度を低下させる機能を備えたフィルム、皮膜等を形成すること、発光要素の周囲に粗面加工層を形成すること、などを挙げることができる。例えば、発光要素の周囲に半透明のフィルムを貼れば、減光された準発光帯域を形成することができ、また、着色フィルムを貼れば、主発光帯域とは異なる色の発光を示す準発光帯域を形成することができる。なお、このような強度調整加工法については、以下に記載する、発光要素としての光ファイバの使用のところで詳細に説明する。
【００２１】
また、主発光帯域は、通常、裸の状態の発光要素を使用することでこと足りるけれども、必要ならば、準発光帯域の形成に使用される強度調整加工に類する加工やその他の加工を施した後で使用してもよい。
【００２２】
発光要素は、いろいろな材料から形成することができる。典型的な発光要素は、以下に列挙し、説明するものに限定されるわけではないけれども、コアと、そのコアの周囲に配置された、前記コアの一端から入射された光を出射可能なクラッドとからなる側面出射型の光ファイバ、フレキシブルなチューブと、その内部に収容された、チューブよりも屈折率の高いコア（通常、液体、固体又はゲル）とからなるチューブ状発光体、導波路型の発光体などを包含する。
【００２３】
側面出射型の光ファイバとしては、例えば、米国特許第４，４２２，７１９号、ＰＣＴ国際公報（ＷＯ）第９８／０８０２４号公報、そして特開平６−１１８２３６号公報〜特開平６−１１８２４０号公報、特開平６−１１８２４３号公報、特開平６−１１８２４４号公報、特開平１０−１４２４２８号公報、特開平１０−１４８７２５号公報などに記載されているような、各種の側面発光型の光ファイバを使用できる。
【００２４】
このような側面発光型の光ファイバでは、光ファイバをコアとクラッドとから構成するとともに、側面発光を可能とするため、次のようないろいろな加工が施されている。
（１）コアとクラッドの間に、光拡散層を設けること、
（２）コアとクラッドの間に、光拡散層及び保護層を設けること、
（３）クラッドに、全体的又は部分的に光拡散体を分散させること、
（４）コアとクラッドの間の界面を不整化すること、
（５）光ファイバの表面に、粗面あるいは凹凸面を設けること、
（６）光ファイバに歪みを付与すること、
（７）湿熱処理して、クラッドを全体的又は部分的に結晶化させること、
（８）延伸処理して、コアに全体的又は部分的に複屈折を生じさせること、
（９）クラッドを、全体的もしくは部分的に、２種以上の重合体の組成物から形成すること、など。
【００２５】
また、例えば特開２０００−１３１５３０号公報に記載されるような側面発光型の光ファイバも有利に使用できる。この光ファイバは、中央部のコアと、そのコアよりも低い屈折率を有するポリマーをバインダ樹脂として含む光拡散材料からなる光拡散層及びこれを覆う保護層を備えたクラッドとから構成される。コアは、好ましくは１．４〜２．０の屈折率を有し、例えば、石英ガラス、光学ガラス、ポリマーなどから構成される。好ましいコア材料は、通常、１．４〜１．７の屈折率をもった光透過性ポリマー、例えば、アクリル系ポリマー、ポリメチルペンテン、エチレン−酢酸ビニル共重合体、ポリ塩化ビニル、酢酸ビニル−塩化ビニル共重合体などである。これらのコア材料には、必要に応じて、耐熱処理などが施されてもよい。
【００２６】
コアは、通常、円形の断面を有しているが、必要に応じて、楕円形、半円形などの断面を有していてもよい。コアの直径は、円形断面の時、通常３〜４０ｍｍ、好ましくは５〜３０ｍｍである。場合によっては、これらの直径よりも小さなあるいは大きなコアを使用してもよい。
【００２７】
コアの外周にそれに密着して設けられるクラッドは、低屈折率のポリマーからなるバインダ樹脂を含む光拡散層を備える。光拡散層は、そのバインダ樹脂中に光拡散材料を分散してもよい。バインダ材料は、好ましくは、約１．３４〜１．４３の屈折率を有する透光性のフッ素系ポリマー、例えば、ＦＥＰ、ＥＴＦＥ、ＴＨＶなどである。光拡散材料は、好ましくは、約１０ｎｍ〜３００μｍの粒径を有する光散乱体、例えば、ガラスビーズ、二酸化チタン粒子、白色無機粉末（例えば、硫酸バリウム、マグネシア、チタニア等）、着色顔料などである。これらの光散乱体は、通常、０．０１〜１０重量％の量で用いられる。
【００２８】
完成した側面発光型の光ファイバは、照明装置の使途などの応じていろいろな長さを有することができる。光ファイバの長さは、通常、約１〜１２０ｍである。
【００２９】
このような側面発光型の光ファイバにおいて、準発光帯域は、いろいろな技法で形成することができる。好適な１形成方法は、光ファイバの周囲に、出射光の発光強度を低下させる機能を備えた減光手段、例えば、フィルム、皮膜（コーティング）を設ける方法である。このような減光手段に適当な材料としては、以下に列挙するものに限定されるわけではないけれども、例えば、ポリ塩化ビニル、ポリエチレン、ポリプロピレン、アクリル樹脂、ポリカーボネート、ポリアミド、ポリスチレン、シリコーン樹脂、フッ素樹脂、ポリエチレンテレフタレート（ＰＥＴ）などの樹脂材料を挙げることができる。一例を示すと、減光手段がフィルムである場合、減光フィルムは、例えば、ポリエステル系基材を使用した粘着剤付き減光フィルム、例えば３Ｍ社製のＳｃｏｔｃｈｔｉｎｔＴＭフィルムのニュートラル５０（製品番号ＲＥ５０ＮＥＡＲＬ）である。また、減光手段が着色フィルムである場合、着色フィルムは、例えば、黄色フィルム：例えば、ポリ塩化ビニル基材を使用した粘着剤付き着色フィルム、例えば３Ｍ社製のＳｃｏｔｃｈｃａｌＴＭフィルムのレモンイエロー（製品番号ＴＰ−３１０３）及び緑色フィルム：例えば、ポリ塩化ビニル基材を使用した粘着剤付き着色フィルム、例えば３Ｍ社製のＳｃｏｔｃｈｃａｌＴＭフィルムのエメラルドグリーン（製品番号ＴＰ−３７０２）である。また、このような樹脂材料に代えて、ガラスなどを準発光帯域の形成に使用できる。
【００３０】
準発光帯域を形成する場合に、例えば減光手段がフィルムの場合には、そのフィルムを粘着剤を介して貼付する方法や、適当な治具を使用してフィルムを被着する方法、フィルムをチューブ状に加工した後、そのチューブを光ファイバに被着又は粘着する方法などを挙げることができる。また、減光手段が皮膜の場合には、上述の樹脂材料を溶媒に溶解したり加熱により溶融させた後、押出し成形機などを使用して所定の膜厚で選択的に塗布し、硬化させることによって準発光帯域を形成することができる。さらに、フィルムや皮膜を設ける方法に代えて、光ファイバの所定の場所に減光部材、例えば断面がコの字型のカバーなどを被せることによって準発光帯域を形成してもよい。
【００３１】
別法によれば、減光手段を設ける代わりに、光ファイバの周囲に粗面加工を施して準発光帯域の発光強度調整層となしてもよい。粗面加工は、例えば、光ファイバのクラッドの周囲を選択的にレーザー加工したりすることによって、有利に実施することができる。得られた凹凸が発光強度調整層として機能することができ、同時に、装飾効果を高める働きもある。なお、この準発光帯域の粗面加工と同時に、主発光帯域にも、より大きな発光強度が達成されるように注意を払いながら、同様な粗面加工を施してもよい。
【００３２】
また、このような技法に代えて、必要ならば、側面発光を得るために使用されている上述のような公知の加工方法を利用してもよい。
【００３３】
本発明の照明装置で使用される発光要素の典型例は、上述のような側面出射型の光ファイバであるが、この光ファイバは、円形、楕円形、半円形等の断面に代えて矩形断面を有していてもよい。矩形断面の変形光ファイバを使用することによって、発光効果に変化が得られ、照明装置の設置場所に広がりが出てくるからである。
【００３４】
さらに、側面出射型の光ファイバは、通常、そのファイバの全長にわたって均一に発光する上述のようなサイドライトファイバが有利に用いられるが、ライン照明等の特殊な発光効果が期待されるので、ファイバに沿って一方向にライン状に発光する強力サイドライトファイバあるいは高輝度サイドライトファイバを使用してもよい。もちろん、これらの異なる種類のファイバを組み合わせて使用してもよい。
【００３５】
チューブ状発光体としては、例えば、特開平８−２４６４２７号公報に記載されているような、フレキシブルなチューブと、その内部に収容された、チューブよりも屈折率の高いコアとからなるチューブ状発光体を使用できる。このような発光体において、外径５〜２０ｍｍを有するチューブの形成には、例えば、ポリエチレン、ポリプロピレン、ポリ塩化ビニル、ポリアミドなどの樹脂材料や、ブチルゴム、フッ素ゴム、シリコーンゴムなどのゴム材料を使用できる。また、このチューブに収容されるコアとしては、各種の粘性液体、固体又はゲル、例えば、ポリエチレンオキサイド、グリセリン等のポリオール類、ポリオールエステル類、ポリオールエーテル類、燐酸エステル類、流動パラフィン、シリコーンオイル、固体のポリメチルメタクリレートなどを挙げることができる。
【００３６】
さらに、発光要素の特殊な応用例として、導波路等の埋め込み形の発光要素も挙げることができる。この種の発光要素は、道路脇の斜面やビルの側壁などにそのまま埋め込んで使用できるという効果がある。
【００３７】
本発明の視線誘導照明装置では、発光要素の端面と光源との間にさらに、その光源からの光を発光要素に対する好適な入射光に変換する光変換装置を有していることが好ましい。ここでいう好適な入射光とは、それぞれ任意の時間について繰り返し遮光、減光又は色変えされた光である。
【００３８】
このような機能を奏する光変換装置は、好ましくはフィルタ要素である。フィルタ要素は、１種類のフィルタからなっていてもよいが、光源からの光を、そのままの光、透明光、半透明光、減光、着色光又は遮光からなる群から選ばれた少なくとも２種類の入射光に変換可能な複合されたフィルタからなっているのが好ましい。複合フィルタは、例えば、１つの円形フィルタを２等分、３等分、４等分などすることによって形成することができる。便宜には、プラスチックフィルタやガラスフィルタに、耐熱性を具えた半透明フィルム、減光フィルム、着色フィルム、遮光フィルムなどを所望の組み合わせで貼付することによって、複合フィルタを作製することができる。一例を示すと、減光フィルムや着色フィルムは前記したものであり、また、遮光フィルムは、ポリ塩化ビニル基材を使用した粘着剤付き着色フィルム、例えば３Ｍ社製のＳｃｏｔｃｈｃａｌＴＭフィルムのブラック（製品番号ＪＳ−１５００）である。
【００３９】
また、別法によれば、上述のような粘着フィルムをプラスチックフィルタやガラスフィルタに貼付することに代えて、そのようなフィルタの所定の部分に適当な減光材料、着色材料、遮光材料等をコーティング、蒸着等の成膜方法によって選択的に付着させることによって、所望の複合フィルタを形成してもよい。
【００４０】
ところで、上記したような本発明の視線誘導照明装置では、それを使用している間、その照明装置を構成する複数個の発光要素のうち、いずれか１個の発光要素が少なくとも発光している。すなわち、発光要素の常時発光が保証されていることで、視線誘導照明装置を道路のカーブなどに設置した時に、危険域の存在を常に自動車ドライバに了知させることができる。
【００４１】
本発明の視線誘導照明装置は、それを道路のカーブや、崖などの危険地域、港湾の岸壁などにそのまま、あるいは支柱などを介して取り付け、視線誘導標識やその他の交通標識システムとして利用できる。
【００４２】
また、本発明の視線誘導照明装置は、それを商店などのショーウインドーに取り付けて、また、ビルの屋上に単独で、あるいはネオンサインなどと組み合わせて取り付けて、装飾システムとして利用できる。
【００４３】
【実施例】
引き続いて、本発明をその実施例を参照して説明する。なお、本発明は、これらの実施例によって限定されるものでないことは言うまでもない。
実施例１
本例では、図３〜図５に示す視線誘導型照明装置を作製した。
【００４４】
図３に示すように、光源Ｌ１、Ｌ２及びＬ３のそれぞれに、側面発光型の光ファイバ１０−１、１０−２及び１０−３を接続した。それぞれの光ファイバには、その外周面を覆うようにして所定長さの白色フィルムＡを貼付し、準発光帯域１Ｂ、２Ｂ及び３Ｂを形成した。例えば、準発光帯域１Ｂの形成は、光ファイバ１０−１の一部を示す図４から理解されるように、コア１１とクラッド１２からなる光ファイバ１０−１の所定の部位に白色フィルム１３を貼付することによって行った。白色フィルム１３を被覆しなかった部位が、本発明で言う「主発光帯域１Ａ」となる。このようにして、光ファイバ１０−１、１０−２及び１０−３には、それぞれ、強く光を発光する主発光帯域１Ａ、２Ａ及び３Ａと、それよりも弱く発光する準発光帯域１Ｂ、２Ｂ及び３Ｂとが、長手方向に交互に形成されたことになる。また、主発光帯域１Ａ、２Ａ及び３Ａは、それぞれ順に、一方向にずれて配置される。光源と光ファイバの間には、それぞれ、図５に構成を模式的に示す３分割型の回転フィルタＦ１、Ｆ２及びＦ３が配置される。それぞれの光ファイバ１０−１、１０−２及び１０−３に入射した光ｌ１、ｌ２及びｌ３は、回転フィルタＦ１、Ｆ２及びＦ３を同じスピードで矢印方向（図５参照）に回転させることにより、それぞれの回転フィルタの構成に応じて遮光、減光又は色替え（本例では、減光）せしめられる。
【００４５】
本例で使用した回転フィルタＦ１、Ｆ２及びＦ３の構成は、下記の第１表に示す通りである。すなわち、光源Ｌ１の場合、回転フィルタＦ１が１２０°回転する度に、その光源から光ファイバ１０−１に入射される光ｌ１は、直接光−減光−減光の順になる。また、光源Ｌ２については、減光−直接光−減光の順となり、さらに光源Ｌ３については、減光−減光−直接光の順となる。光ファイバに対する入射光のパターンがこのように変化することによって、まず、光ファイバ１０−１の主発光帯域１Ａが最も明るくなり（最発光）、準発光帯域１Ｂは白色フィルムＡで減光されているため、主発光帯域１Ａよりも暗く見える。このとき、その他の光ファイバ１０−２及び１０−３は、主発光帯域２Ａ及び３Ａならびに準発光帯域２Ｂ及び３Ｂのすべてに減光フィルタで減光された光が入射するので、光ファイバ１０−１の主発光帯域１Ａよりも暗くなるけれども、いずれの光ファイバも発光しているので、全長にわたって視認可能である。
【００４６】
次いで、それぞれの回転フィルタが１２０°ずつ回転すると、光ファイバ１０−２の主発光帯域２Ａが最発光し、さらに１２０°回転すると、光ファイバ１０−３の主発光帯域３Ａが最発光し、さらに１２０°回転すると、最初と同様光ファイバ１０−１の主発光帯域１Ａが最発光する。このような発光の変化が生じる結果、最発光部が光源から離れた方向に順次移動していくように見える。なおかつ、それぞれの光ファイバは、最発光部以外もわずかに発光しており、全長にわたって視認可能である。
実施例２
前記実施例１に記載の手法を繰り返したが、本例では、光ファイバ１０−１、１０−２及び１０−３の外周面を覆うようにして所定長さの緑色フィルムＢを貼付し、準発光帯域１Ｂ、２Ｂ及び３Ｂを形成した。これにより、光ファイバ１０−１の主発光帯域１Ａが白色で最発光し、準発光帯域１Ｂは緑色フィルムＢで着色されているため、緑色となる。このとき、その他の光ファイバ１０−２及び１０−３は、主発光帯域２Ａ及び３Ａが白色、準発光帯域２Ｂ及び３Ｂが緑色で、ともに減光されているけれども、いずれの光ファイバも発光しているので、全長にわたって視認可能である。
【００４７】
次いで、それぞれの回転フィルタが１２０°ずつ回転すると、光ファイバ１０−２の主発光帯域２Ａが白色で最発光し、さらに１２０°回転すると、光ファイバ１０−３の主発光帯域３Ａが最発光し、さらに１２０°回転すると、最初と同様光ファイバ１０−１の主発光帯域１Ａが最発光する。このような発光の変化が生じる結果、最発光部が光源から離れた方向に順次移動していくように見える。なおかつ、それぞれの光ファイバは、最発光部以外も白色もしくは緑色にわずかに発光しており、全長にわたって視認可能である。
実施例３
前記実施例２に記載の手法を繰り返したが、本例では、下記の第１表に記載のように、フィルタＦ１−Ｂ、Ｆ１−Ｃ、Ｆ２−Ａ、Ｆ２−Ｃ、Ｆ３−Ａ及びＦ３−Ｂを減光フィルタから緑色フィルタに変更した。これにより、光ファイバ１０−１の主発光帯域１Ａが白色で最発光し、準発光帯域１Ｂは緑色フィルムＢで着色されているため、緑色となる。このとき、その他の光ファイバ１０−２及び１０−３は、主発光帯域２Ａ及び３Ａならびに準発光帯域２Ｂ及び３Ｂがともに緑色に着色されているけれども、いずれの光ファイバも発光しているので、全長にわたって視認可能である。
【００４８】
次いで、それぞれの回転フィルタが１２０°ずつ回転すると、光ファイバ１０−２の主発光帯域２Ａが白色で最発光し、さらに１２０°回転すると、光ファイバ１０−３の主発光帯域３Ａが最発光し、さらに１２０°回転すると、最初と同様光ファイバ１０−１の主発光帯域１Ａが最発光する。このような発光の変化が生じる結果、最発光部が光源から離れた方向に順次移動していくように見える。なおかつ、それぞれの光ファイバは、最発光部以外も緑色にわずかに発光しており、全長にわたって視認可能である。
実施例４
前記実施例３に記載の手法を繰り返したが、本例では、下記の第１表に記載のように、フィルタＦ１−Ｂ、Ｆ１−Ｃ、Ｆ２−Ａ、Ｆ２−Ｃ、Ｆ３−Ａ及びＦ３−Ｂを緑色フィルタから黄色フィルタに変更した。これにより、光ファイバ１０−１の主発光帯域１Ａが最発光し、準発光帯域１Ｂは黄色フィルムＣで着色されているため、黄色となる。このとき、その他の光ファイバ１０−２及び１０−３は、主発光帯域２Ａ及び３Ａならびに準発光帯域２Ｂ及び３Ｂがともに黄色に着色されているけれども、いずれの光ファイバも発光しているので、全長にわたって視認可能である。
【００４９】
次いで、それぞれの回転フィルタが１２０°ずつ回転すると、光ファイバ１０−２の主発光帯域２Ａが最発光し、さらに１２０°回転すると、光ファイバ１０−３の主発光帯域３Ａが最発光し、さらに１２０°回転すると、最初と同様光ファイバ１０−１の主発光帯域１Ａが最発光する。このような発光の変化が生じる結果、最発光部が光源から離れた方向に順次移動していくように見える。なおかつ、それぞれの光ファイバは、最発光部以外も黄色にわずかに発光しており、全長にわたって視認可能である。
実施例５
前記実施例１に記載の手法を繰り返したが、本例では、下記の第１表に記載のように、フィルタＦ１−Ｂ、Ｆ１−Ｃ、Ｆ２−Ａ、Ｆ２−Ｃ、Ｆ３−Ａ及びＦ３−Ｂを減光フィルタから遮光フィルタに変更した。これにより、光ファイバ１０−１の主発光帯域１Ａが最発光し、準発光帯域１Ｂは白色フィルムＡで着色されているため、主露光帯域１Ａよりも暗くなる。このとき、その他の光ファイバ１０−２及び１０−３は、遮光フィルタにて光路が遮断されているので、発光しない。なお、光ファイバ１０−１は、全長にわたって視認可能である。
【００５０】
次いで、それぞれの回転フィルタが１２０°ずつ回転すると、光ファイバ１０−２の主発光帯域２Ａが白色で最発光し、さらに１２０°回転すると、光ファイバ１０−３の主発光帯域３Ａが最発光し、さらに１２０°回転すると、最初と同様光ファイバ１０−１の主発光帯域１Ａが最発光する。このような発光の変化が生じる結果、最発光部が光源から離れた方向に順次移動していくように見える。なおかつ、それぞれの光ファイバは、最発光部とそれよりも暗い白色部が順番に、点灯及び消灯を繰り返すことで、常にいずれかの光ファイバが全長にわたって視認可能である。
実施例６
前記実施例５に記載の手法を繰り返したが、本例では、光ファイバ１０−１、１０−２及び１０−３の外周面を覆うようにして所定長さの緑色フィルムＢを貼付し、準発光帯域１Ｂ、２Ｂ及び３Ｂを形成した。これにより、光ファイバ１０−１の主発光帯域１Ａが最発光し、準発光帯域１Ｂは緑色フィルムＢで着色されているため、緑色となる。このとき、その他の光ファイバ１０−２及び１０−３は、遮光フィルタにて光路が遮断されているので、発光しない。なお、光ファイバ１０−１は、全長にわたって視認可能である。
【００５１】
次いで、それぞれの回転フィルタが１２０°ずつ回転すると、光ファイバ１０−２の主発光帯域２Ａが最発光し、さらに１２０°回転すると、光ファイバ１０−３の主発光帯域３Ａが最発光し、さらに１２０°回転すると、最初と同様光ファイバ１０−１の主発光帯域１Ａが最発光する。このような発光の変化が生じる結果、最発光部が光源から離れた方向に順次移動していくように見える。なおかつ、それぞれの光ファイバは、最発光部と緑色部が順番に、点灯及び消灯を繰り返すことで、常にいずれかの光ファイバが全長にわたって視認可能である。
実施例７
前記実施例５に記載の手法を繰り返したが、本例では、光ファイバ１０−１、１０−２及び１０−３の外周面を覆うようにして所定長さの黄色フィルムＣを貼付し、準発光帯域１Ｂ、２Ｂ及び３Ｂを形成した。これにより、光ファイバ１０−１の主発光帯域１Ａが最発光し、準発光帯域１Ｂは黄色フィルムＣで着色されているため、黄色となる。このとき、その他の光ファイバ１０−２及び１０−３は、遮光フィルタにて光路が遮断されているので、発光しない。なお、光ファイバ１０−１は、全長にわたって視認可能である。
【００５２】
次いで、それぞれの回転フィルタが１２０°ずつ回転すると、光ファイバ１０−２の主発光帯域２Ａが最発光し、さらに１２０°回転すると、光ファイバ１０−３の主発光帯域３Ａが最発光し、さらに１２０°回転すると、最初と同様光ファイバ１０−１の主発光帯域１Ａが最発光する。このような発光の変化が生じる結果、最発光部が光源から離れた方向に順次移動していくように見える。なおかつ、それぞれの光ファイバは、最発光部と黄色部が順番に、点灯及び消灯を繰り返すことで、常にいずれかの光ファイバが全長にわたって視認可能である。
比較例１
前記実施例５に記載の手法を繰り返したが、本例では、比較のため、光ファイバ１０−１、１０−２及び１０−３の外周面を覆うようにして所定長さの遮光フィルムＤを貼付し、準発光帯域１Ｂ、２Ｂ及び３Ｂを形成した。これにより、光ファイバ１０−１の主発光帯域１Ａが最発光し、準発光帯域１Ｂは遮光フィルムＤで光路を遮断されているため、発光しない。このとき、その他の光ファイバ１０−２及び１０−３も、遮光フィルタにて光路が遮断されているので、発光しない。
【００５３】
次いで、それぞれの回転フィルタが１２０°ずつ回転すると、光ファイバ１０−２の主発光帯域２Ａが最発光し、さらに１２０°回転すると、光ファイバ１０−３の主発光帯域３Ａが最発光し、さらに１２０°回転すると、最初と同様光ファイバ１０−１の主発光帯域１Ａが最発光する。このような発光の変化が生じる結果、最発光部が光源から離れた方向に順次移動していくように見える。しかし、それぞれの光ファイバは、最発光部が順番に点灯及び消灯を繰り返すだけであるので、全長にわたって光ファイバを常時視認することができない。
比較例２
前記実施例５に記載の手法を繰り返したが、本例では、比較のため、光ファイバ１０−１、１０−２及び１０−３の外周面を覆って準発光帯域１Ｂ、２Ｂ及び３Ｂを形成する工程を省略した。これにより、光ファイバ１０−１がその全長にわたって白色に発光した。
【００５４】
次いで、それぞれの回転フィルタが１２０°ずつ回転すると、光ファイバ１０−２がその全長にわたって白色に発光し、さらに１２０°回転すると、光ファイバ１０−３がその全長にわたって白色に発光し、さらに１２０°回転すると、最初と同様光ファイバ１０−１がその全長にわたって白色に発光する。このような発光の変化が生じる結果、全長にわたって光ファイバを常時視認することができるが、それぞれの光ファイバは全長にわたって点灯及び消灯を繰り返すだけであるので、方向性をもった光の動きを観察することができない。
【００５５】
【表１】
0003998502.tif 000002
【００５６】
上記した実施例１〜７及び比較例１及び２の結果からわかるように、本発明によれば、常時長い距離にわたって途切れのない光でなおかつ方向性をもった光の動きを提供することができる。
【００５７】
【発明の効果】
以上に詳細に説明したように、本発明の照明装置を使用すると、長い距離にわたり途切れのない光でなおかつ方向性をもった光の動きを提供することができる。したがって、この方向性をもった光の動きを利用して、道路のカーブや、ビルの通路等における視線誘導のため、あるいは駅のプラットホーム、横断歩道等における注意喚起のため、交通標識システムとして有利に利用することができる。特に、途切れのない線状発光が可能であるから、道路の複雑な曲線形状のカーブや通路等での視線誘導に好適である。
【００５８】
また、本発明の照明装置は、その特色ある視線誘導効果を利用して、交通標識システム以外の分野でも有利に使用することができる。一例として、例えば、商店の店内ディスプレイ、ビル屋上のネオンサインの代替品などの装飾システムを挙げることができる。
【図面の簡単な説明】
【図１】散光管を使用した従来のライトフェンス装置の正面図である。
【図２】発光体を使用した従来の視線誘導灯の正面図である。
【図３】本発明による視線誘導照明装置の一例を示す正面図である。
【図４】図３の視線誘導照明装置で用いられる側面出射型の光ファイバの斜視図である。
【図５】図３の視線誘導照明装置で用いられるフィルタの機能を説明する模式図である。
【符号の説明】
１０…光ファイバ
１１…コア
１２…クラッド
１３…着色フィルム
２０…視線誘導照明装置
Ｌ１、Ｌ２、Ｌ３…光源
ｌ１、ｌ２、ｌ３…入射光
Ｆ１、Ｆ２、Ｆ３…回転フィルタ
【図１】
0003998502.tif 000003
【図２】
0003998502.tif 000004
【図３】
0003998502.tif 000005
【図４】
0003998502.tif 000006
【図５】
0003998502.tif 000007